(57)【要約】【課題】  カードをコネクタから離脱することを有効に防止できるカード用コネクタを提供すること。【解決手段】  本考案のカード用コネクタは、複数の端子通路を備えるコネクタ本体と、前記コネクタ本体の端子通路内に装着される複数の導電端子と、前記コネクタ本体に組み付けられるフレームと、前記フレームの下面に組み付けられるカバーと、を含む。前記フレームは、主本体部と、該主本体部の側縁から下向きに延在する各側壁と、前記主本体部及び側壁からなる収容空間と、を有し、前記収容空間が、前記コネクタ本体に近接する先端と、カードを挿入する挿入口と、該挿入口に近接する後端と、を備え、カードを挿入する方向で、前記先端の幅が後端より広くなされている。矩形形状を呈するカードを挿入する時、カバーは導引作用を与え、該カードをコネクタに安定して挿入させ、回路基板から離脱させることを有効に防止できる。【選択図】  図４
0003111485.tif 000002
【実用新案登録請求の範囲】
【請求項１】
複数の端子通路を備えるコネクタ本体と、
前記コネクタ本体の端子通路内に装着され、カードに電気的に接続する接続部と、
回路基板に半田付けされる半田付け部と、
前記コネクタ本体内に固持される固持部とを備える複数の導電端子と、
前記コネクタ本体に組み付けられ、主本体部と、該主本体部の側縁から下向きに延在する各側壁と、
前記主本体部及び側壁からなり、前記コネクタ本体に近接する先端と、
カードを挿入する挿入口と、
該挿入口に近接する後端と、を備え、
カードを挿入する方向で、前記先端の幅が後端より広い、カードを収容できる収容空間とを有するフレームと、を含むカード用コネクタにおいて、
前記フレームの下面に組みつけられ、位置する平面が前記フレームの主本体部に平行なカバーを有することを特徴とするカードを収容するカード用コネクタ。
【請求項２】
前記主本体部と収容空間の形状は、Ｌ字形状を呈し、
該収容空間が、Ｌ字形状を呈するカード或は、矩形形状を呈するカードを収容し得ることを特徴とする、請求項１に記載のカード用コネクタ。
【請求項３】
前記フレームの側壁は、挿入口の両側に位置する、相対する両側壁を含み、
前記カバーが板状を呈し、前記相対する両側壁にそれぞれ組み付けられる両側辺を備えることを特徴とする、請求項１に記載のカード用コネクタ。
【請求項４】
前記相対した両側壁は、
前記主本体部の側縁から下向きに延在する垂直部と、
該垂直部から前記収容空間に向かって折曲延在して形成される水平部と、を備え、
該垂直部と、水平部と、主本体部とに、カードのコネクタへの挿入或は排出を導引する導引溝がそれぞれ形成されることを特徴とする、請求項３に記載のカード用コネクタ。
【請求項５】
前記フレームの各導引溝は、水平部に切り口が形成され、
前記カバーの相対する両側辺には、前記切り口に係合する錠止部が形成されることを特徴とする、請求項４に記載のカード用コネクタ。
【請求項６】
前記錠止部は、
一端に位置し、カードを挿入する方向に沿って延在する突出片と、
他端に位置する押圧片と、を備えることを特徴とする、請求項５に記載のカード用コネクタ。
【請求項７】
前記錠止部が前記切り口に係合してから、カードを挿入する方向に沿ってカバーを前進させて、前記錠止部の突出片を前記導引溝の内側に貼り付け、且つ、押圧片を前記切り口の辺縁に押圧することを特徴とする、請求項６に記載のカード用コネクタ。
【請求項８】
前記フレームの主本体部には、前記収容空間に向かって延在する接触片が形成されることを特徴とする、請求項７に記載のカード用コネクタ。
【請求項９】
前記主本体部の側縁から下向きに延在する各側壁は、
該主本体部の先端の両側に位置する第１側壁と、
第２側壁と、
前記主本体部の後端に位置し、前記第２側壁に平行であり且つ同じ側に位置する第４側壁と、
前記第２側壁と第４側壁との間に位置する縦横壁と、を含むことを特徴とする請求項２に記載のカード用コネクタ。
【請求項１０】
前記カード用コネクタは、前記縦横壁に取り付けられるガイド部材を有し、
該ガイド部材が、前記第２側壁に沿って延在して、カードを導引するガイド溝を備えることを特徴とする、請求項９に記載のカード用コネクタ。
【請求項１１】
前記ガイド部材は、
前記第４側壁と縦横壁との間に取付けられる本体と、
該本体に垂直な垂直壁と、を有し、
前記ガイド溝が前記垂直壁に形成されることを特徴とする、請求項１０に記載のカード用コネクタ。
【請求項１２】
前記カード用コネクタは、
前記コネクタ本体の端部に形成される固持溝内にそれぞれ取り付けられる基体と、
該基体から折曲延在し、接地を行う固持脚を有する一対の固持片と、を含むことを特徴とする、請求項１に記載のカード用コネクタ。
【請求項１３】
前記フレームの側壁の前記コネクタ本体を覆っている部分には、前記固持片の基部に接触する弾性アームが形成されることを特徴とする、請求項１２に記載のカード用コネクタ。
【請求項１４】
前記カード用コネクタは、前記フレームの両側にそれぞれ取り付けられる一対の支持部材を含み、
該支持部材が、
前記フレームの側壁にそれぞれ係止できる元本部と、
該元本部から延在し、回路基板に半田付けされる取付部と、を有することを特徴とする、請求項１に記載のカード用コネクタ。
【請求項１５】
前記カード用コネクタは、前記フレームの側壁に組み付けられるイジェクト機構を含み、
心臓形状を呈するレールが設けられるベースと、
往復運動できる連動柄と、
一端が前記連動柄に連接する圧縮コイルバネと、 
スライド部材と、
前記フレームに装着されるイジェクトレバーと、を備えることを特徴とする、請求項１に記載のカード用コネクタ。
【考案の詳細な説明】
【技術分野】
【０００１】
本考案は、カード接続に使用されるカード用コネクタ（以下単に「コネクタ」と略称することもある）に関し、特に、カードが該コネクタから離脱することを防止できるコネクタに関するものである。
【背景技術】
【０００２】
現在、パンコンの拡張可能性の要求を満足するために、近年のパンコンは、その内部の情報処理回路のバスに対して各種の機能拡張カードを着脱できる。このような機能拡張カードとして現在実用されているものとしては、例えば、情報処理回路の外部記憶媒体として用いられるＩＣカードやハードディスクカード、情報処理回路と通信網間の通信を仲介するＬＡＮ（ローカルエリアネットワーク）カードや、モデムカード、ＳＣＳＩインタフェースを内蔵したＳＣＳＩカード、デジタルカメラを内蔵したカメラカード等が列挙される。これらの機能拡張カードは、「ＰＣカード」と総称される。
【０００３】
現在、ＰＣカードの規格に関しては、ＰＣＭＣＩＡ（Ｐｅｒｓｏｎａｌ Ｃｏｍｐｕｔｅｒ Ｍｅｍｏｒｙ Ｃａｒｄ Ｉｎｔｅｒｎａｔｉｏｎａｌ Ａｓｓｏｃｉａｔｉｏｎ）の定める標準により、規格統一がなされている。また、ＰＣＭＣＩＡは、２００３年末に新しい規格に符合するＰＣカードとしてのエクスプレス（Ｅｘｐｒｅｓｓ）カードの規格が定められ、こうした規格のエクスプレスカードは、形状がＬ字形状或は矩形形状を呈する両種のタイプを備える。その中で、矩形形状を呈するカードの幅は、Ｌ字形状を呈するカードの最小の幅と同じである。
【０００４】
前記エクスプレスカードを接続するために用いられるコネクタは、コネクタ本体と、導電端子と、カードを収容するフレームと、を備え、前記フレームの構造がＬ字形状と矩形形状と、の二種の形状を有する。その中で、矩形形状を呈するフレームを備えるコネクタは、矩形形状を呈するカードだけを収容でき、Ｌ字形状を呈するフレームのコネクタはＬ字形状を呈するカードだけでなく、矩形形状を呈するカードをも収容できる。そこで、Ｌ字形状を呈するフレームを備えるコネクタが、優れた適合性のために、広く使用される（例えば、特許文献１参照）。
【特許文献１】台湾実用新案第２５３０８１号公告明細書
【０００５】
図７及び図８に示すように、従来例のコネクタ１００は、基本的に、コネクタ本体１０と、該コネクタ本体１０に装着され、カードの導電パッドと回路基板とを接続する導電端子２０と、前記コネクタ本体１０に固着されるＬ字形状を呈するフレーム４０と、を含んで、前記フレーム４０が、主本体部４１と、該主本体部４１から下向き垂直に延在して形成される両側壁４５、４６と、該両側壁４５、４６から前記主本体部４１に平行に延在する水平部４５１、４６１と、を有する。
【０００６】
前記主本体部４１と、両側壁４５、４６と、両水平部４５１、４６１と、が、収容空間（参照符号なし）を包囲するように形成され、該収容空間の先端に挿入口が形成され、両側に導引溝４５２、４６２がそれぞれ形成される。前記Ｌ字形状を呈するカードは、前記導電端子２０に接続される時、先に前記挿入口に挿入されてから、前記両側の導引溝４５２、４６２により、前記収容空間に収容されると、前記導電端子２０に接続される。
【０００７】
しかしながら、前記挿入口がＬ字形状を呈するカードと適合させるため、その幅は矩形形状を呈するカードの幅より広い、そのため、該矩形形状を呈するカードを前記挿入口から挿入してから、前記両側の導引溝４５２、４６２が、該矩形形状を呈するカードに導引作用を与えることができない。さらに、該矩形形状を呈するカードを挿入する過程で、前記コネクタ１００から離脱し易く、導電端子２０に接続されない恐れがある。
【０００８】
そこで、本考案は、以上の点に鑑みてなされたものであり、改良した新型のカード用コネクタを提供することを目的とする。
【考案の開示】
【考案が解決しようとする課題】
【０００９】
本考案は、カードをコネクタから離脱することを有効に防止できるカード用コネクタを提供することを目的とする。
【課題を解決するための手段】
【００１０】
前記目的を達成するために、本考案のカード用コネクタは、複数の端子通路を備えるコネクタ本体と、前記コネクタ本体の端子通路内に装着される複数の導電端子と、前記コネクタ本体に組み付けられるフレームと、前記フレームの下面に組み付けられるカバーと、を含む。前記導電端子は、カードに電気的に接続される接続部と、回路基板に半田付けされる半田付け部と、前記コネクタ本体内に固持される固持部と、を備える。前記フレームは、主本体部と、該主本体部の側縁から下向きに延在する各側壁と、前記主本体部及び側壁からなる収容空間と、を有し、前記収容空間が、前記コネクタ本体に近接する先端と、カードを挿入する挿入口と、該挿入口に近接する後端と、を備え、カードを挿入する方向に、前記先端の幅が後端より広くなされている。カバーの位置する平面は前記フレームの主本体部に平行になされる。
【考案の効果】
【００１１】
従来技術に比べ、本考案は以下の利点を有する。前記カバーが収容空間に収容されるカードを支持でき、矩形形状を呈するカードを挿入する時、カバーが矩形形状を呈するカードに導引作用を与え、さらに、該矩形形状を呈するカードをコネクタに安定して挿入し、挿入する過程で回路基板から離脱することを有効に防止できる。
【考案を実施するための最良の形態】
【００１２】
以下、本考案のカード用コネクタ（以下、単にコネクタという）の好ましい実施形態について、添付図面を参照して説明する。図１は、本考案の実施形態のコネクタ１の組み合わせ斜視図である。
【００１３】
まず、最初に図１を参照して、コネクタ１を説明する。コネクタ１は、絶縁材料で成型されるコネクタ本体１０、該コネクタ本体１０に装着される導電端子２０と、前記コネクタ本体１０の両側壁に設置される固持片３０と、前記コネクタ本体１０に取り付けられるフレーム４０と、該フレーム４０の下面に組み付けられるカバー５０と、前記フレーム４０内に係合されるガイド部材６０と、前記フレーム４０の両側にそれぞれ組み付けられる一対の支持部材７０と、前記フレーム４０の一方に摺動可能に装着されるイジェクト機構８０と、を有する。
【００１４】
次に、図２及び図３に示すように、コネクタ本体１０について詳細に説明する。該コネクタ本体１０は、矩形形状を呈する基部１１と、該基部１１の長手方向に延在する延長アーム１２と、前記基部１１の長手側から、一対の延長アーム１２の間に延在して形成される対接部１４と、を含んで、前記対接部１４には、該コネクタ本体１０を前後方向に貫通する複数の端子通路１４０が平行に形成される。前記基部１１の略中央部には凸塊１５が突設形成され、前記各延長アーム１２の外側面には、固持溝１２０と、該固持溝１２０の両側に位置する係合孔１２２と、がそれぞれ形成される。
【００１５】
次に、図３と図４を参照して、導電端子２０について、詳細に説明する。該導電端子２０は、前記コネクタ本体２０に形成される複数の端子通路１４０に対応して装着され、各導電端子２０が、カード（図示せず）の導電パッドに接続する接続部２２と、回路基板に半田付けされる半田付け部２４と、前記コネクタ本体１０の端子通路１４０内に固持される固持部（参照符号なし）と、を備える。
【００１６】
次に、図３を参照して、固持片３０について詳細に説明する。該固持片３０は、前記コネクタ本体１０の固持溝１２０内に取り付けられ、前記固持溝１２０に保持される基体３１と、該基体３１から折曲延在して形成される固持脚３２と、を含んでいる。前記固持脚３２が回路基板の接地パッドに半田付けされ、接地されている。
【００１７】
次に、図３ないし図６を参照して、前記フレーム４０について詳細に説明する。該フレーム４０は金属板により形成されており、前記コネクタ本体１０に組み付けられ、Ｌ字形状を呈する主本体部４１と該主本体部４１の側縁から下向きに延在する複数の側壁と、を有し、該等側壁は前記主本体部４１の先端縁から下向きに延在する先端壁４２と、該先端壁４２の両側にそれぞれ位置する第１側壁４３及び第２側壁４４と、前記第１側壁４３に平行であり且つ同側に位置する第３側壁４５と、前記第２側壁４４に平行であり且つ同側に位置する第４側壁４６と、前記第２側壁４４と第４側壁４６との間に位置し、前記先端壁４２に平行な縦横壁４７と、を含んでいる。該等側壁と主本体部４１と、は、カードを収容できる収容空間４８を包囲して画成する。
【００１８】
図６を参照して、前記先端壁４２は、前記コネクタ本体１０の先端を覆って、前記主本体部４１と連通する箇所には、前記コネクタ本体１０の基部１１に形成される凸塊１５に係合できる欠け口４２１が形成される。前記第１側壁及び第２側壁４３、４４は、前記コネクタ本体１０の延長アーム１２がそれぞれ覆い、前記固持溝１２０内に固持される固持片３０に接触する弾性アーム４３１、４４１と、前記コネクタ本体１０の係合孔１２２内に係合する係止片４３２、４４２と、をそれぞれ有する。前記第１及び第２側壁４３、４４の主本体部４１に近接する箇所には、前記イジェクト機構８０を取り付ける取付溝４３３、４４３がそれぞれ形成される。第２側壁４４は、縦横壁４７に近接する端に孔４４４が形成される。
【００１９】
また、前記第３及び第４側壁４５、４６は垂直部４５０、４６０と、垂直部４５０、４６０から前記収容空間４８に向けて、折曲延在して形成される水平部４５１と、を有し、該等垂直部４５０、４６０と、水平部４５１、４６１と、主本体部４１と、には、カードをコネクタ１へ挿入するのを導引する導引溝４５２、４６２が形成される。該導引溝４５２、４６２の水平部４５１、４６１には、カードをコネクタ１へ挿入する方向に沿って、複数の切り口４５４、４６４と、上向きに突設する凸片４５５、４６５と、が形成される。
【００２０】
また、前記縦横壁４７は、収容空間４８内に延在する弾性片４７０と、縦横壁４７の側縁から収容空間４８に向かって延在し、前記ガイド部材６０を受け入れる収容部４７１と、を有する。主本体部４１の両側縁（参照符号なし）には、前記導引溝４５２、４６２に形成される切り口４５４、４６４及び凸片４５５、４６５にそれぞれ対応する複数の切り口４１０と凸片４１１と、が形成され、該等凸片４１１と凸片４５５、４６５と、により、収容空間４８内に挿入されるカードが上下方向に揺れ動くことを制限できる。
【００２１】
また、フレーム４０は、前記主本体部４１の端縁（参照符号なし）に近接する箇所には、カードの接地パッド（図示せず）に接触する接触片４１２が設置されることにより、接地を行い、且つ、前記係止片４３２、４４２がコネクタ本体１０の係合孔１２２内に係合することで、該フレーム４０がコネクタ本体１０に取り付けられる。
【００２２】
次に、図３〜図５を参照して、カバー５０について詳細に説明する。カバー５０は、前記フレーム４０に組み付けられ、金属板からなり、前記フレーム４０の主本体部４１の形状がほぼ同じで、フレーム４０の底面（参照符号なし）を覆い、前記第３及び第４側壁４５、４６にそれぞれ組み付けられ、お互いに平行な側辺５１、５２を有する。前記側辺５１、５２の外側には、上向きに延在する複数の錠止部５３が形成され、前記各錠止部５３が、前向きに延在する突出片５３０を備え、また、先端に位置する一対の錠止部５３が後向きに形成される押圧片５４が設けられる。
【００２３】
取付時、該等錠止部５３は、前記フレーム４０の導引溝４５２、４６２に形成される複数の切り口４５４、４６４内に係合され、カードを挿入する方向に沿ってカバー５０を前進させて、前記錠止部５３の突出片５３０を前記導引溝４５２、４６２の内側に貼り付けさせ、且つ、押圧片５４を前記切り口４５４、４６４の辺縁に押圧させる。こうして、該カバー５０が前記フレーム４０に係合され、同時に、前記押圧片５４が切り口４５４、４６４の辺縁に押圧されることにより、カバー５０が前後方向に移動することが制限される。
【００２４】
次に、図３を参照して、ガイド部材６０について詳細に説明する。該ガイド部材６０は、三角形状を呈する本体６１と、該本体６１の一側縁（参照符号なし）から上向きに延在し、Ｌ字形状を呈する垂直壁６２と、を含む。該Ｌ字形状を呈する垂直壁６２は、前記本体６１に重なる部分が前記縦横壁４７の収容部４７１内に収容され、他部分が前記第２側壁４４内側に貼り付けられる。本体６１の前記第４側壁４６に貼り付けられる外側縁６６には、前記凸片４６５の外面に押圧される複数の突出塊６７が形成される。Ｌ字形状を呈する垂直壁６２には、前記第２側壁４４の孔４４４に係合できる係合塊６３と、前記縦横壁４７の弾性片４７０に押圧される凹溝６４と、が形成される。
【００２５】
こうして、前記垂直壁６２の部分が収容部４７１内に収容され、且つ、前記弾性片４７０が垂直壁６２の凹溝６４に押圧されることにより、該ガイド部材６０が前記フレーム４０に固持される。また、Ｌ字形状を呈する垂直壁６２の前記第２側壁４４の内側に貼り付けられる部分には、カードをコネクタ１に挿入する時、導引作用を与え、前記収容空間４８に向かうガイド溝６５が形成される。
【００２６】
次に、図５と図６を参照して、支持部材７０について詳細に説明する。各支持部材７０は、前記フレーム４０の第３、４側壁４５、４６にそれぞれ係止できる元本部７１と、該元本部７１から延在し、回路基板に半田付けされる水平取付部７２と、を有し、また、前記イジェクト機構８０の同側に位置する支持部材７０は、垂直片７３（図６に示す）が形成される。
【００２７】
次に、図３と図６を参照して、前記イジェクト機構８０について詳細に説明する。該イジェクト機構８０は、フレーム４０の第３側壁４５に組み付けられ、心臓形状を呈するレール（図示せず）が設けられるベース８１と、往復運動できる連動柄８２と、前記連動柄８２の一端に連接する圧縮コイルバネ８３と、スライド部材８４と、前記フレーム４０の取付溝４３３、４４３に装着されるイジェクトレバー８５と、を備える。また、前記圧縮コイルバネ８３が前記垂直片７３に係合することにより、前記支持部材７０と連動柄８２との間に位置づけられる。前記スライダ部材８４の一端は、前記連動柄８２の他端に連接し、他端が前記心臓形状を呈するレール内に摺動可能である。
【００２８】
カードをコネクタ１に挿入する時、前記イジェクトレバー８５は、カードの先端が前進し、同時に、連動柄８２が前記挿入方向とは反体方向に向かって運動し、且つ前記スライド部材８４と心臓形状を呈するレールと、により、挿入された位置に固持され、同時に、前記圧縮コイルバネ８３が弾性な変形を生じる。前記カードがコネクタ１から排出される時、もう一度カードを前進させて、連動柄８２が後方向に向けて運動し続いて、同時に、挿入された位置から排出される。且つ、圧縮コイルバネ８３の回復力により、前記イジェクトレバー８５を回転させ、さらに、前記カードがコネクタ１から排出される。
【００２９】
該コネクタ１のフレーム４０の形状は、Ｌ字形状を呈することで、前記収容空間４８の形状がＬ字形状も呈し、そこで、該収容空間４８内には、Ｌ字形状を呈するカードと矩形形状を呈するカードを収容し得る。該収容空間４８は、カードを挿入する挿入口（参照符号なし）と、前記コネクタ本体１０に近接する先端（参照符号なし）と、該先端に相対し、前記挿入口に近接する後端（参照符号なし）と、を備え、且つ、先端の幅は、Ｌ字形状を呈するカードの最小の幅及び矩形形状を呈するカードの幅とほぼ同じであり、後端の幅は、前記Ｌ字形状を呈するカードの最大の幅とほぼ同じであり、即ち、収容空間４８の先端の寸法が後端の寸法より大きくなされている。
【００３０】
また、前記フレーム４０の第３及び第４側壁４５、４６にそれぞれ位置する導引溝４５２、４６２の間の距離は前記収容空間４８の後端の幅とほぼ同じである。そこで、矩形形状を呈するカードをコネクタ１の挿入口に挿入する時、前記距離が矩形形状を呈するカードの幅より広いことにより、前記収容空間４８の両側に位置する導引溝４５２、４６２が該カードに導引作用を与えず、この時、収容空間４８の下部に位置するカバー５０は、該カードに導引作用を与え、こうして、該矩形状を呈するカードをコネクタ１に安定して挿入し、挿入する過程で、回路基板から離脱することを有効に防止できる。
【００３１】
以上、本考案について最良の実施の形態を参照して詳細に説明してきたが、実施形態はあくまでも例示的なものであり、これらに限定されるものではない。また上述の説明は、本考案に基づきなし得る細部の修正或は変更など、いずれも本考案の請求範囲に属するものとである。
【図面の簡単な説明】
【００３２】
【図１】本考案に係るカード用コネクタと回路基板とを組み合わせた斜視図である。
【図２】本考案に係るカード用コネクタのフレームをコネクタ本体から取り外した分解斜視図である。
【図３】本考案に係るカード用コネクタの分解斜視図である。
【図４】本考案に係るカード用コネクタのカバーがまだフレームに組み付けられていない状態で、底面から見た斜視図である。
【図５】本考案に係るカード用コネクタを底面から見た斜視図である。
【図６】本考案に係るカード用コネクタのイジェクト機構とフレームの斜視図である。
【図７】従来例に係るカード用コネクタの分解斜視図である。
【図８】従来例に係るカード用コネクタのフレームの斜視図である。
【符号の説明】
【００３３】
１、１００  カード用コネクタ
１０  コネクタ本体
１１  基部
１２  延長アーム
１４  対接部
１５  凸塊
２０  導電端子
２２  接続部
２４  半田付け部
３０  固持片
３１  基体
３２  固持脚
４０  フレーム
４１  主体部
４２  先端壁
４３  第１側壁
４４  第２側壁
４５  第３側壁
４６  第４側壁
４７  縦横壁
４８  収容空間
５０  カバー
５１、５２  側辺
５３  錠止部
５４  押圧片
６０  ガイド部材
６１  本体
６２  垂直壁
６３  係合塊
６４  凹溝
６５  ガイド溝
６６  該側縁
６７  突出塊
７０  支持部材
７１  元本部
７２  取付部
７３  垂直片
８０  イジェクト機構
８１  ベース
８２  連動柄
８３  圧縮コイルバネ
８４  スライド部材
８５  イジェクトレバー
１２０  固持溝
１２２  係合孔
１４０  端子通路
４１０、４５４、４６４  切り口
４１１、４５５、４６５  凸片
４１２  接触片
４２１  欠け口
４３１、４４１  弾性アーム
４３２、４４３  係止片
４３３  ４４３  取付溝
４４４  孔
４５０、４６０  垂直部
４５１、４６１  水平部
４５２、４６２  導引溝
４７０  弾性片
４７１  収容部
５３０  突出片
【図１】
0003111485.tif 000003
【図２】
0003111485.tif 000004
【図３】
0003111485.tif 000005
【図４】
0003111485.tif 000006
【図５】
0003111485.tif 000007
【図６】
0003111485.tif 000008
【図７】
0003111485.tif 000009
【図８】
0003111485.tif 000010